(57)【要約】【課題】入れ歯の使用情報を蓄えることができると共に識別性を備えて、受診便利性及び正確度を高め、紛失や取り違いなどの事態を防ぐことができる入れ歯を提供する。【解決手段】無線周波数読取装置と互いに通信することができる入れ歯であって、複数の義歯と、前記複数の義歯における少なくとも１つに埋め込まれ、前記義歯の所有者に対応する識別情報を格納し、前記無線周波数読取装置との間で受送信する無線周波数識別タグとを備えていることを特徴とする。【選択図】図１
2011050645.tif 000002
【特許請求の範囲】
【請求項１】
無線周波数読取装置と互いに通信することができる入れ歯であって、
複数の義歯と、
前記複数の義歯における少なくとも１つに埋め込まれ、前記義歯の所有者に対応する識別情報を格納し、前記無線周波数読取装置との間で受送信する無線周波数識別タグとを備えていることを特徴とする入れ歯。
【請求項２】
さらに、前記無線周波数識別タグと互いに受送信可能に電気的に接続されるように前記義歯に埋め込まれた検出素子を備え、前記検出素子は、前記義歯の使用変更量を検出し、前記無線周波数識別タグに出力し前記識別情報として保存することを特徴とする請求項１に記載の入れ歯。
【請求項３】
前記検出素子は、無線又は有線によって前記無線周波数識別タグと電気的に接続されることを特徴とする請求項２に記載の入れ歯。
【請求項４】
前記検出素子は、前記義歯が外力を受けたときの圧力変化を感知し、圧力変化値を生成し、前記無線周波数識別タグに出力して前記識別情報として保存する圧力検出素子を有することを特徴とする請求項２に記載の入れ歯。
【請求項５】
前記検出素子は、前記義歯が前記所有者の口の内外の温度の違いを感知し、温度変化値を生成し、前記無線周波数識別タグに出力して前記識別情報として保存する温度検出素子を有することを特徴とする請求項２に記載の入れ歯。
【請求項６】
前記検出素子は、前記義歯が外力を受けたときの圧力変化を感知し、圧力変化値を生成し、前記無線周波数識別タグに出力して前記識別情報として保存する圧力検出素子と、前記義歯が前記所有者の口の内外の温度の違いを感知し、温度変化値を生成し、前記無線周波数識別タグに出力して前記識別情報として保存する温度検出素子とを有することを特徴とする請求項２に記載の入れ歯。
【請求項７】
前記無線周波数識別タグに保存されている識別情報は、追加、更新、削除することができるように構成されることを特徴とする請求項１又は２に記載の入れ歯。
【発明の詳細な説明】
【技術分野】
【０００１】
本発明は、入れ歯に関し、特に、識別性を備えた入れ歯に関する。
【背景技術】
【０００２】
一般に、数本程度の歯又は全ての歯が抜けた時に、これを補うため義歯からなる部分入れ歯か総入れ歯が装着されている。この場合、食事のあと、入れ歯についた食べかすをそのままにしておくと、時間が経つにつれてさまざまな細菌が増殖して、口臭や歯周病の原因になることがあるので、部分入れ歯や総入れ歯は、自分の歯と同様に、毎日の手入れをしなければならず、例えば毎食後、入れ歯を外して例えば歯ブラシで磨くなどして、清潔を保たなければならない。また、入れ歯は装着したら歯ぐきを時々休ませる必要があるので、通常寝ている間入れ歯を外しておく。
【先行技術文献】
【特許文献】
【０００３】
【特許文献１】台湾実用新案登録番号第Ｍ257789号
【発明の概要】
【発明が解決しようとする課題】
【０００４】
人が多い例えば養護老人ホームや病院では、外した入れ歯をどこに置いたか忘れたり、取り違いがあったり、紛失したりすることがよくあるので、直接入れ歯に名前を入れたり、記名テープを貼ったりするといった手段を用いて入れ歯の持ち主がすぐ分かるようにしなければならないが、これを嫌がる人も少なくない。また、入れ歯の紛失などで新たにつくる場合、もとの病院でなければ患者の病状や装着後の使用状況などがわからず、すぐ判断できず、作製時間が延びてしまう。
【０００５】
本発明は、上記問題点を解消しようとするもので、入れ歯の使用情報を蓄えることができると共に識別性を備えて、受診便利性及び正確度を高め、紛失や取り違いなどの事態を防ぐことができる入れ歯を提供することを目的とする。
【課題を解決するための手段】
【０００６】
上記目的を達成するため、本発明は、無線周波数読取装置と互いに通信することができる入れ歯であって、複数の義歯と、前記複数の義歯の少なくとも一つに埋め込まれ、前記義歯の所有者に対応する識別情報を格納し、前記無線周波数読取装置との間で受送信する無線周波数識別タグとを備えている入れ歯を提供する。
【０００７】
さらに、前記無線周波数識別タグに送信可能に電気的に接続されるように前記義歯に埋め込まれた検出素子を備え、前記検出素子は、前記義歯の使用変更量を検出し、前記無線周波数識別タグに出力し前記識別情報として保存する構成としてもよい。
【０００８】
また、前記検出素子は、無線又は有線によって前記無線周波数識別タグと電気的に接続されることが好ましい。
【０００９】
また、前記検出素子は、前記義歯が外力を受けたときの圧力変化を感知し、圧力変化値を生成し、前記無線周波数識別タグに出力して前記識別情報として保存する圧力検出素子及び/または、前記義歯が前記所有者の口の内外の温度の違いを感知し、温度変化値を生成し、前記無線周波数識別タグに出力して前記識別情報として保存する温度検出素子を有することが好ましい。
【００１０】
また、前記無線周波数識別タグに保存されている識別情報は、追加、更新、削除することができるように構成されることが好ましい。
【発明の効果】
【００１１】
本発明の入れ歯によれば、義歯に所有者の固有情報や使用情報を含んだ識別情報を保存している無線周波数識別タグが埋め込まれているので、通常入れ歯の使用情報をキャッチすることができると共に識別性を備えるようにすることができるため、受診便利性及び正確度を高めることができる。また、所有者不明の義歯や取り違いのとき、所定の無線周波数読取装置を通じて無線周波数識別タグ内に保存された情報を引き出して照合することができるので、むやみに他人に知られずに入れ歯の持ち主をすぐ判断することができる。
【図面の簡単な説明】
【００１２】
【図１】無線周波数読取装置と通信可能の入れ歯の構成を示す斜視図である。
【図２】図１の一部を切り欠いて示す拡大断面図である。
【図３】図１の通信状態を示すブロック図である。
【発明を実施するための形態】
【００１３】
以下、図面を参照しながら本発明の実施の形態について説明する。
【実施例】
【００１４】
図１〜図３は、本発明の入れ歯の一実施の形態を示し、図１は、無線周波数読取装置１と通信可能の入れ歯２の構成を示す斜視図、図２は、図１の一部を切り欠いて示す拡大断面図、図３は、図１の通信状態を示すブロック図である。この実施の形態の入れ歯２は、無線周波数読取装置１と互いに通信可能に構成されたものであり、所有者の上顎部、下顎部の歯ぐき（図示せず）に装着する義歯床２１、２１と、それぞれの義歯床２１、２１によって支持される一本或いは複数の義歯２２、２２、・・・と、これらの義歯２２、２２、・・・における少なくとも１つ内に埋め込まれた無線周波数識別（Radio Frequency Identification/ＲＦＩＤ）タグ３、３と、ＲＦＩＤタグ３に送信可能に電気的に接続されるように義歯２に埋め込まれた検出素子４、５を備えている。
【００１５】
ＲＦＩＤタグ３は、例えばチップの形で義歯２２内に埋め込まれ、義歯の所有者に対応する識別情報を格納し、無線周波数読取装置１との間に受送信するように構成される。ＲＦＩＤタグ３は、義歯２２の義歯床２１側の下部に設けられることが好ましい。なお、ＲＦＩＤタグ３は、数メガバイトのデータを格納するような記憶容量を備える構成とし、また、識別情報は、追加、更新、削除することができるように構成される。
【００１６】
検出素子は、ＲＦＩＤタグ３と互いに受送信可能に電気的に接続されるようにＲＦＩＤタグ３に載置されて義歯２２に埋め込まれ、義歯２２の使用変更量を検出し、ＲＦＩＤタグ３に出力し識別情報として保存する。なお、検出素子は、無線又は有線によってＲＦＩＤタグ３と電気的に接続される構成としてよい。
【００１７】
検出素子は、より具体的には、義歯２が外力を受けたときの圧力変化を感知し、圧力変化値を生成し、ＲＦＩＤタグ３に出力して識別情報として保存する圧力検出素子４、及び義歯２が所有者の口の内外の温度の違いを感知し、温度変化値を生成し、ＲＦＩＤタグ３に出力して識別情報として保存する温度検出素子５を有する。
【００１８】
なお、ＲＦＩＤタグ３は、駆動エネルギーによって、電池による主動タイプと、例えば無線周波数読取装置１によって作動される従動タイプとに大別される。この例においては、ＲＦＩＤタグ３は、主動タイプのＲＦＩＤタグとして圧力検出素子４と温度検出素子５に電力を供給すると共に、電磁波を発生する電力を供給することができる電池（図示せず）を設けている。なお、ＲＦＩＤタグ３が無線周波数読取装置１の感知範囲内にあると、ＲＦＩＤタグ３が内蔵電池に対して充電を行うことができる。
【００１９】
次に、本実施の形態の入れ歯の作用を説明する。
【００２０】
入れ歯２の所有者は、入れ歯２で食べ物を噛んだりするとき、圧力検出素子４によって噛む前後の圧力の違いを感知し、圧力変化値を生成してＲＦＩＤタグ３に出力して識別情報としてＲＦＩＤタグ３の識別情報に追加するように保存する。一方、温度検出素子５によって所有者の口の内外の温度の違いを感知し、温度変化値を生成し、ＲＦＩＤタグ３に出力して識別情報としてＲＦＩＤタグ３の識別情報に追加するように保存する。また、所有者の固有情報、例えば年齢、住所などが変ったとき、ＲＦＩＤタグ３に保存された識別情報から旧いデータを削除してデータの更新を行うことができる。
【００２１】
無線周波数読取装置１によってＲＦＩＤタグ３の識別情報が読み取られたとき、ＲＦＩＤタグ３の識別情報における圧力変化値に基づいて、入れ歯２の噛み具合などの使用状態を判定することができ、入れ歯２の調整を行うことができる。そして、ＲＦＩＤタグ３の識別情報の温度変化値に基づいて、入れ歯２を外した回数、期間を判定することができる。このようにすると、受診便利性を向上させることができる。
【００２２】
もし、入れ歯２が無線周波数読取装置１の感知範囲内に位置すれば、ＲＦＩＤタグ３は自動的に識別情報を無線周波数読取装置１に送出し、或いは、無線周波数読取装置１が無線電波を発射し、感知範囲内のＲＦＩＤタグ３が感知すると、ＲＦＩＤタグ３が応答して電磁波を発射し得る。また、無線周波数読取装置１を無線又は有線でコンピュータなどと接続すると、コンピュータの入力装置を用いて無線周波数読取装置１に読み取られたＲＦＩＤタグ３の識別情報に基づいて診察などのための処置をすることができる。
【００２３】
以上のように、本発明による識別性を備えた入れ歯は、ＲＦＩＤタグ３に所有者に対応する入れ歯の情報を保存してあるので、入れ歯の置き忘れなどの場合、無線周波数読取装置１を通じて、所有者の身元、医療記録などを引き出すことができ、所有者を見出すことができ、また、入れ歯の作製などのとき、入れ歯から見出す情報を有効に利用することができる。
【００２４】
また、本発明による識別性を備えた入れ歯は、圧力変化や温度変化などを検出する検出素子を備えているので、これらの変化値をＲＦＩＤタグ３に保存することによって、必要時に引き出すことができるので、入れ歯２の噛み具合などの使用状態、入れ歯２を外した回数、期間を判定することができ、入れ歯２の装着や作製の調整に役立てることができる。
【産業上の利用可能性】
【００２５】
本発明による識別性を備えた入れ歯は、入れ歯の所有者の見出し、入れ歯の作製や装着調整に有用である。
【符号の説明】
【００２６】
１  無線周波数読取装置
２  入れ歯
２１  義歯床
２２  義歯
３  無線周波数識別（ＲＦＩＤ）タグ
４、５  検出素子
【図１】
2011050645.tif 000003
【図２】
2011050645.tif 000004
【図３】
2011050645.tif 000005